(57)【要約】【課題】電気泳動分散液に含まれる電気泳動粒子のセルに対する吸着を抑制または防止して、優れた表示特性を発揮する電気泳動表示装置および信頼性が高い電子機器を提供すること。【解決手段】電気泳動表示装置１０は、素子基板（第１基板）３１と、この素子基板３１と対向して配置された対向基板（第２基板）５２と、素子基板３１と対向基板５２との間に配置された隔壁３５と、隔壁３５に区画されたセル（空間）３６に配置された、電気泳動粒子３４および分散媒１５を含有する分散液とを有している。また、素子基板３１の分散液が配置される側には画素電極（第１電極）２１が配置され、対向基板５２の分散液が配置される側には共通電極（第２電極）２２が配置されており、電気泳動表示装置１０は、画素電極２１および共通電極２２の少なくとも一方の電極側で、分散液と接触する面に被覆層を備えており、被覆層の水に対する接触角が６０°以上となっている。【選択図】図４
2017049552.tif 000002
【特許請求の範囲】
【請求項１】
第１基板と、
前記第１基板と対向して配置された第２基板と、
前記第１基板と前記第２基板との間に配置された隔壁と、
前記隔壁に区画された空間に配置された、電気泳動粒子および分散媒を含有する分散液とを備え、
前記第１基板の前記分散液が配置される側には第１電極が配置され、前記第２基板の前記分散液が配置される側には第２電極が配置されており、
前記第１電極および前記第２電極の少なくとも一方において、前記分散液と接触する面に被覆層を備え、
前記被覆層は、水に対する接触角が６０°以上であることを特徴とする電気泳動表示装置。
【請求項２】
前記第２基板の前記分散液が配置される側に配置された封止層を有し、
前記封止層は、前記分散液と接触する面に前記被覆層を備える請求項１に記載の電気泳動表示装置。
【請求項３】
前記第１基板の前記分散液が配置される側に配置された絶縁層を有し、
前記絶縁層は、前記分散液と接触する面に前記被覆層を備える請求項１または２に記載の電気泳動表示装置。
【請求項４】
さらに、前記隔壁は、前記分散液と接触する面に前記被覆層を備える請求項１ないし３のいずれか１項に記載の電気泳動表示装置。
【請求項５】
前記被覆層は、ヨウ化メチレンに対する接触角が５０°以下である請求項１ないし４のいずれか１項に記載の電気泳動表示装置。
【請求項６】
前記被覆層は、主としてシクロオレフィンポリマー、エチレン−ビニルアルコール共重合体およびメチルテルペンコポリマーのうちの少なくとも１種を含有する請求項１ないし５のいずれか１項に記載の電気泳動表示装置。
【請求項７】
前記被覆層は、平均厚さが０．０５μｍ以上０．５μｍ以下である請求項１ないし６のいずれか１項に記載の電気泳動表示装置。
【請求項８】
請求項１ないし７のいずれか１項に記載の電気泳動表示装置を備えることを特徴とする電子機器。
【発明の詳細な説明】
【技術分野】
【０００１】
本発明は、電気泳動表示装置および電子機器に関するものである。
【背景技術】
【０００２】
従来から、粒子の電気泳動を利用した電気泳動表示装置が知られており、この電気泳動表示装置は、可搬性および省電力性を有している点で優れている。
【０００３】
この電気泳動表示装置では、電気泳動粒子を含む電気泳動分散液を挟んで対向する画素電極と共通電極との間に電圧を印加して、帯電した黒粒子や白粒子等の電気泳動粒子を空間的に移動させることで表示領域に画像を形成している。電気泳動表示装置としては、例えば、一対の基板間を隔壁によって複数のセル（空間）に区画し、各セル内に電気泳動粒子および分散媒を含む電気泳動分散液を封入した構成のものが知られている。
【０００４】
このような電気泳動表示装置は、より具体的には、特許文献１に記載のように、一対の基板上にそれぞれ設けられた画素電極と共通電極との間に隔壁を配置し、これら画素電極、共通電極および隔壁で区画されたセル内に電気泳動分散液を封入するものが提案されている。
【０００５】
しかしながら、画素電極、共通電極および隔壁でセルを区画すると、これら画素電極および共通電極の電極に、直接、電気泳動分散液が接触している。そのため、電気泳動粒子の移動による画像の形成の度に、前記電極のうち少なくとも一方に電気泳動粒子が接触し、これに起因して、前記電極に電気泳動粒子が吸着（固着）するため、電気泳動表示装置の表示特性が著しく低下するという問題があった。
【０００６】
なお、電気泳動粒子の吸着は、前記電極ばかりでなく、隔壁の構成材料、電気泳動粒子の帯電量等の条件によっては、隔壁に対しても生じることがあった。
【先行技術文献】
【特許文献】
【０００７】
【特許文献１】特開２０１３−５７９７４号公報
【発明の概要】
【発明が解決しようとする課題】
【０００８】
本発明の目的は、電気泳動分散液に含まれる電気泳動粒子のセルに対する吸着を抑制または防止して、優れた表示特性を発揮する電気泳動表示装置および信頼性が高い電子機器を提供することにある。
【課題を解決するための手段】
【０００９】
このような目的は、下記の本発明により達成される。
本発明の電気泳動表示装置は、第１基板と、
前記第１基板と対向して配置された第２基板と、
前記第１基板と前記第２基板との間に配置された隔壁と、
前記隔壁に区画された空間に配置された、電気泳動粒子および分散媒を含有する分散液とを備え、
前記第１基板の前記分散液が配置される側には第１電極が配置され、前記第２基板の前記分散液が配置される側には第２電極が配置されており、
前記第１電極および前記第２電極の少なくとも一方において、前記分散液と接触する面に被覆層を備え、
前記被覆層は、水に対する接触角が６０°以上であることを特徴とする。
【００１０】
これにより、電気泳動分散液に含まれる電気泳動粒子のセルに対する吸着を抑制または防止することができることから、電気泳動表示装置を、長期に亘って、優れた表示特性を維持するものとすることができる。
【００１１】
本発明の電気泳動表示装置では、前記第２基板の前記分散液が配置される側に配置された封止層を有し、
前記封止層は、前記分散液と接触する面に前記被覆層を備えることが好ましい。
【００１２】
これにより、電気泳動分散液に含まれる電気泳動粒子のセルに対する吸着を抑制または防止することができることから、電気泳動表示装置を、長期に亘って、優れた表示特性を維持するものとすることができる。
【００１３】
本発明の電気泳動表示装置では、前記第１基板の前記分散液が配置される側に配置された絶縁層を有し、
前記絶縁層は、前記分散液と接触する面に前記被覆層を備えることが好ましい。
【００１４】
これにより、電気泳動分散液に含まれる電気泳動粒子のセルに対する吸着を抑制または防止することができることから、電気泳動表示装置を、長期に亘って、優れた表示特性を維持するものとすることができる。
【００１５】
本発明の電気泳動表示装置では、さらに、前記隔壁は、前記分散液と接触する面に前記被覆層を備えることが好ましい。
【００１６】
これにより、電気泳動分散液に含まれる電気泳動粒子のセルに対する吸着を抑制または防止することができることから、電気泳動表示装置を、長期に亘って、優れた表示特性を維持するものとすることができる。
【００１７】
本発明の電気泳動表示装置では、前記被覆層は、ヨウ化メチレンに対する接触角が５０°以下であることが好ましい。
【００１８】
これにより、被覆層をより確実に低極性を示すものであると言うことができ、被覆層に電気泳動粒子が吸着してしまうのを的確により抑制または防止することができる。
【００１９】
本発明の電気泳動表示装置では、前記被覆層は、主としてシクロオレフィンポリマー、エチレン−ビニルアルコール共重合体およびメチルテルペンコポリマーのうちの少なくとも１種を含有することが好ましい。
【００２０】
これらの材料は、特に極性が低い材料であるため、被覆層に電気泳動粒子が固着することをより確実に防止することができる。
【００２１】
本発明の電気泳動表示装置では、前記被覆層は、平均厚さが０．０５μｍ以上０．５μｍ以下であることが好ましい。
【００２２】
これにより、第２封止層に被覆層としての機能を確実に付与することができる。また、封止層（積層体）全体として、比較的柔軟なものとすることができるため、隔壁の頂部を、封止層に確実に食い込ませることが可能となる。
【００２３】
本発明の電子機器は、本発明の電気泳動表示装置を備えることを特徴とする。
これにより、性能および信頼性の高い電子機器が得られる。
【図面の簡単な説明】
【００２４】
【図１】本発明の電気泳動表示装置が搭載された電子機器の実施形態を示す斜視図である。
【図２】本発明の電気泳動表示装置の電気的な構成の第１実施形態を示す等価回路図である。
【図３】本発明の電気泳動表示装置の構造の第１実施形態を示す模式平面図である。
【図４】図３に示す電気泳動表示装置のＡ−Ａ’線断面図である。
【図５】図３に示す電気泳動表示装置のうち封止層、およびシール部周辺の構造を示す模式平面図である。
【図６】図５に示す電気泳動表示装置のＢ−Ｂ’線断面図である。
【図７】図５に示す電気泳動表示装置のＣ部を拡大して示す拡大平面図である。
【図８】図６に示す電気泳動表示装置のＦ部を拡大して示す拡大断面図である。
【図９】電気泳動表示装置の製造方法を工程順に示すフローチャートである。
【図１０】図３に示す電気泳動表示装置の製造方法を説明するための模式断面図である。
【図１１】図３に示す電気泳動表示装置の製造方法を説明するための模式断面図である。
【図１２】図３に示す電気泳動表示装置の製造方法を説明するための模式断面図である。
【図１３】図３に示す電気泳動表示装置の製造方法を説明するための模式断面図である。
【図１４】図３に示す電気泳動表示装置の製造方法を説明するための模式断面図である。
【図１５】図３に示す電気泳動表示装置の製造方法を説明するための模式断面図である。
【図１６】図３に示す電気泳動表示装置の製造方法を説明するための模式断面図である。
【図１７】図３に示す電気泳動表示装置の製造方法を説明するための模式断面図である。
【図１８】本発明の電気泳動表示装置の構造の第２実施形態を示す模式縦断面図である。
【発明を実施するための形態】
【００２５】
以下、本発明の電気泳動表示装置および電子機器を添付図面に示す好適な実施形態に基づいて詳細に説明する。
【００２６】
なお、以下の形態において、例えば「基板上に」と記載された場合、基板の上に接するように配置される場合、または基板の上に他の構成物を介して配置される場合、または基板の上に一部が接するように配置され、一部が他の構成物を介して配置される場合を含むものとする。
【００２７】
＜電子機器＞
まず、本発明の電気泳動表示装置を説明するのに先立って、本発明の電気泳動表示装置を備える電子機器（本発明の電子機器）について説明する。
【００２８】
図１は、本発明の電気泳動表示装置が搭載された電子機器の実施形態を示す斜視図である。なお、使用する図面（図１および以下で示す図を含む）は、説明する部分が認識可能な状態となるように、適宜拡大または縮小して表示している。
【００２９】
図１に示すように、電子機器１００は、電気泳動表示装置１０と、電子機器１００を操作するためのインターフェイスとを備えている。このインターフェイスは、具体的には、例えば、操作部１１０で、スイッチ等から構成される。
【００３０】
電気泳動表示装置１０は、本発明の電気泳動表示装置を含んで構成され、表示領域Ｅを有するディスプレイモジュールである。表示領域Ｅは複数の画素から成り、これらの画素が電気的に制御される事で表示領域Ｅに画像が表示される。
【００３１】
なお、電気泳動表示装置１０を備えた電子機器１００として、図１に示す、電子ペーパー（ＥＰＤ：Electronic Paper Display）の他、ウォッチ、リスタブル機器、スマートフォン、タブレット端末、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネル等に適用することができる。
【００３２】
＜電気泳動表示装置＞
＜＜第１実施形態＞＞
次に、かかる電子機器１００が備える電気泳動表示装置１０（本発明の電気泳動表示装置）の第１実施形態について説明する。
【００３３】
図２は、本発明の電気泳動表示装置の電気的な構成の第１実施形態を示す等価回路図、図３は、本発明の電気泳動表示装置の構造の第１実施形態を示す模式平面図、図４は、図３に示す電気泳動表示装置のＡ−Ａ’線断面図、図５は、図３に示す電気泳動表示装置のうち封止層、およびシール部周辺の構造を示す模式平面図、図６は、図５に示す電気泳動表示装置のＢ−Ｂ’線断面図、図７は、図５に示す電気泳動表示装置のＣ部を拡大して示す拡大平面図、図８は、図６に示す電気泳動表示装置のＦ部を拡大して示す拡大断面図である。なお、図５〜図８においては、絶縁層や配線、電極等の図示は省略する。
【００３４】
図２に示すように、電気泳動表示装置１０は、複数のデータ線１２と、複数の走査線１３とを有し、データ線１２と走査線１３とが交差する部分に画素１１が配置される。具体的には、電気泳動表示装置１０は、データ線１２と走査線１３とに沿ってマトリクス状に配置された複数の画素１１を有している。各画素１１は、画素電極２１と共通電極２２との間に配置された電気泳動粒子３４と分散媒１５とを含む電気泳動分散液を有する。
【００３５】
画素電極２１は、トランジスター１６（ＴＦＴ１６）を介してデータ線１２に接続されている。また、ＴＦＴ１６のゲート電極は、走査線１３に接続されている。なお、図２は、例示であり、必要に応じて保持容量等の他の素子が組み込まれてもよい。
【００３６】
また、図３および図４に示すように、電気泳動表示装置１０は、素子基板（第１基板）５１と、対向基板（第２基板）５２と、電気泳動層３３とを有する。
【００３７】
素子基板５１が備える、例えば、透光性を有するガラス基板からなる第１基材３１上には、各画素１１に対応して画素電極（第１電極）２１が配置されている。
【００３８】
詳述すると、図３および図４に示すように、画素１１（画素電極２１）は、例えば、平面視でマトリクス状に形成されている。画素電極２１の材料としては、例えば、ＩＴＯ（錫を添加した酸化インジウム：Indium Tin Oxide）等の光透過性材料が用いられる。
【００３９】
第１基材３１と画素電極２１との間には、図示しない回路部が設けられており、回路部の中にＴＦＴ１６等が形成されている。ＴＦＴ１６は、図示しないコンタクト部を介して、各画素電極２１と電気的に接続されている。なお、図示しないが、回路部の中には、ＴＦＴ１６の他、各種配線（例えば、データ線１２や走査線１３等）や素子（例えば、容量素子）等が配置されている。
【００４０】
また、画素電極２１上を含む第１基材３１上の全面には、絶縁層３２が形成されている。この絶縁層３２は、画素電極２１側に位置する第１絶縁層３２ａと、画素電極２１の反対側で第１絶縁層３２ａ上に積層された第２絶縁層３２ｂとを有している。なお、この絶縁層３２については、後に詳述する。
【００４１】
素子基板５１は、これら第１基材３１、画素電極２１、絶縁層３２および回路部により構成されている。
【００４２】
対向基板５２が備える、例えば、透光性を有するガラス基板からなる第２基材４１上（図４における分散媒１５側）には、複数の画素１１に対応して共通に設けられた共通電極（第２電極）２２が形成されている。共通電極２２としては、例えば、ＩＴＯ等の光透過性材料が用いられる。
対向基板５２は、これら第２基材４１および共通電極２２により構成されている。
【００４３】
また、共通電極２２上には、第１封止層４２ａが形成されている。第１封止層４２ａの上には、第２封止層４２ｂが形成されている。なお、第１封止層４２ａと第２封止層４２ｂとを合せて封止層４２と称する。なお、この封止層４２については、後に詳述する。
【００４４】
絶縁層３２と封止層４２との間には、電気泳動層３３が設けられている。
電気泳動層３３は、少なくとも１以上の電気泳動粒子３４と、電気泳動粒子３４が分散された分散媒１５とを含む電気泳動分散液で構成され、この電気泳動分散液（分散媒１５および電気泳動粒子３４）は、絶縁層３２と、第２封止層４２ｂと、第１基材３１上に設けられた隔壁３５（リブ）と、により仕切られた（分割された）空間（領域）に充填されている。
【００４５】
隔壁３５は、図３に示すように、碁盤目状に形成されている。なお、隔壁３５は、透光性材料（アクリルやエポキシ樹脂等）であることが好ましい。また、隔壁３５の幅は、例えば、５μｍである。
【００４６】
なお、本実施形態では、各画素１１に画素電極２１が配置され、各画素電極２１に前記隔壁３５（リブ）が配置されている構成としたが、これに限定されず、複数の画素毎（例えば２〜２０画素毎）に、隔壁（リブ）が形成されても良い。
【００４７】
また、素子基板５１と対向基板５２とを貼り合せた際、隔壁３５の上部が対向基板５２（具体的には、封止層４２）に接触することにより、隔壁３５の高さ（実際には、図６に示す額縁隔壁６１）を基準に素子基板５１と対向基板５２との間のセルギャップを決めることができる。そして、このセルギャップにより、電気泳動層３３の膜厚が決定される。
【００４８】
なお、以下では、隔壁３５、絶縁層３２および封止層４２によって囲まれた領域をセル３６と言う。そして、一つのセル３６内には、充填された電気泳動層３３が含まれる。
【００４９】
さらに、隔壁３５の高さは、この隔壁３５により区画される電気泳動層３３の厚さとほぼ等しくなり、例えば、１０μｍ以上１５０μｍ以下であることが好ましく、２０μｍ以上１００μｍ以下であることがより好ましく、特に好ましくは３０μｍ程度に設定される。これにより、電気泳動粒子３４の移動による白表示と黒表示とを優れたコントラストで表示することが可能となる。
【００５０】
本実施形態では、図４に示すように、電気泳動粒子３４として、白色粒子と黒色粒子とを示している。例えば、画素電極２１と共通電極２２との間に電圧を印加すると、これらの間に生じる電界にしたがって、電気泳動粒子３４は、いずれかの電極（画素電極２１、共通電極２２）に向かって電気泳動する。例えば、白色粒子が正荷電を有する場合、画素電極２１を負電位とすると、白色粒子は、画素電極２１側（下側）に移動して集まり、黒表示となる。
【００５１】
逆に、画素電極２１を正電位とすると、白色粒子は、共通電極２２側（上側）に移動して集まり、白表示となる。このように、表示側の電極に集合する白色粒子の有無や数等に応じて、所望の情報（画像）が表示される。なお、ここでは、電気泳動粒子３４として白色粒子や黒色粒子を用いたが、他の有色粒子を用いてもよい。
【００５２】
また、電気泳動粒子３４としては、無機顔料系の粒子、有機顔料系の粒子または高分子微粒子等を用いることができ、各種粒子を２種以上混合して用いてもよい。また、電気泳動粒子３４の平均粒子径は、例えば、０．０５μｍ以上１０μｍ以下程度のものが用いられ、好ましくは、０．２μｍ以上２μｍ以下程度のものが用いられる。
【００５３】
また、白色粒子の含有量は、分散媒１５、白色粒子および黒色粒子の全重量、すなわち電気泳動分散液に対して３０％以内であり、黒色粒子の含有量は、分散媒１５、白色粒子、黒色粒子の全重量、すなわち電気泳動分散液に対して１０％以内である。このように配分することにより、反射率が４０％以上、および黒色反射率が２％以下になり、表示性能を高くすることができる。
【００５４】
また、本実施形態では、分散媒１５として、−３０℃程度の温度でも電気泳動粒子３４の移動が可能なシリコーンオイルを用いる。シリコーンオイルの粘度は、例えば、１０ｃＰ以下である。シリコーンオイルは、低粘度溶媒であるので、例えば、−３０℃程度の低温でも、電気泳動粒子は５００ｍｓ以下の速度で電極間を泳動することができる。
【００５５】
なお、分散媒１５としては、シリコーンオイルの他、例えば、ブタノールやグリセリン等のアルコール類、ブチルセロソルブ等のセロソルブ類、酢酸ブチル等のエステル類、ジブチルケトン等のケトン類、ペンタン等の脂肪族炭化水素類（流動パラフィン）、アセトニトリル等のニトリル類のものを用いることもできる。
【００５６】
また、図５および図６に示すように、電気泳動表示装置１０は、表示領域Ｅと、この表示領域Ｅを囲む額縁領域Ｅ１とを有する。この額縁領域Ｅ１には、電気泳動層３３のうち表示に寄与しない領域であるダミー画素領域Ｄと、ダミー画素領域Ｄの外側に配置された額縁隔壁６１と、額縁隔壁６１の外側に配置されたシール部１４とを含む。
【００５７】
なお、額縁領域Ｅ１の幅は、例えば、１ｍｍ程度である。また、ダミー画素領域Ｄの幅は、例えば、８０μｍである。ダミー画素領域Ｄの表示領域Ｅ側には、表示領域Ｅに配置された隔壁３５と同じ形状で形成された隔壁３５ａが設けられている隔壁のリブ幅（頂部３５’の幅）は、３μｍ以上１０μｍ以下程度であり、本実施形態では、５μｍである。また、隣り合う隔壁と隔壁との距離は、例えば、１５０μｍである。
【００５８】
ダミー画素領域Ｄの外側には、額縁隔壁６１が設けられている。額縁隔壁６１は、分散媒１５が外側に流れ出ないように堰き止めることができると共に、セルギャップを調整するために用いられており、ダミー画素領域Ｄを囲むように配置されている。なお、額縁隔壁６１は、通常、表示領域Ｅの隔壁３５と同じ材料で構成されている。
【００５９】
額縁隔壁６１の幅Ｗ１は、例えば、１００μｍである。また、額縁隔壁６１の厚みは、例えば、１０μｍ〜５０μｍの範囲であり、本実施形態では３３μｍである。
【００６０】
なお、額縁隔壁６１は、隣接して配置される第１シール材１４ａが表示領域Ｅにはみ出さないようにするためにも用いられる。
【００６１】
シール部１４は、本実施形態では、図６に示すように、第１シール材１４ａと、第２シール材１４ｂとを有する。第１シール材１４ａは、素子基板５１と対向基板５２とを貼り合わせる際に接着するために用いられ、額縁隔壁６１を囲むように設けられている。
【００６２】
第１シール材１４ａの幅Ｗ２は、例えば、４００μｍである。また、第１シール材１４ａの粘度は、例えば、３０万Ｐａ・ｓ以上１００万Ｐａ・ｓ以下であり、好ましくは、４０万Ｐａ・ｓ程度である。このような粘度の第１シール材１４ａを用いることにより、素子基板５１と対向基板５２との貼り合せの際に、素子基板５１と対向基板５２との接触面積を大きく保つことができる。
【００６３】
また、第２シール材１４ｂは、素子基板５１と対向基板５２との間を封止するために用いられ、第１シール材１４ａを囲むように配置されている。
【００６４】
第２シール材１４ｂの幅Ｗ３は、例えば、４００μｍである。また、第２シール材１４ｂの粘度は、例えば、１００Ｐａ・ｓ以上５００Ｐａ・ｓ以下であり、好ましくは、４００Ｐａ・ｓ程度である。このような粘度の第２シール材１４ｂを用いることにより、第１シール材１４ａの周囲の素子基板５１と対向基板５２との間に、第２シール部材を入り込ませることが可能となる。そのため、第２シール材１４ｂの接着強度を向上させることができる。また、外部から第２シール材１４ｂおよび第１シール材１４ａを介して内部に水分が侵入することを抑えることが可能となり、信頼性の高いシール構造を得ることができる。
【００６５】
なお、シール部１４は、第１シール材１４ａと、第２シール材１４ｂとのように別体として設ける場合の他、第２シール材１４ｂの構成材料によっては、第１シール材１４ａを省略して、第２シール材１４ｂの単体で構成されるものであってもよい。
【００６６】
図６および図８に示すように、表示領域Ｅにおいて、隔壁３５の頂部３５’と対向基板５２との間には、封止層４２が設けられている。
【００６７】
これにより、封止層４２と、絶縁層３２と、隔壁３５（リブ）とにより区画された空間（セル）が形成され、この空間（閉空間）に分散媒１５と電気泳動粒子３４とを含む電気泳動分散液が充填されることで、分散媒１５および電気泳動粒子３４が隣接するセル３６とセル３６との間で、行き来できないようになっている。
【００６８】
また、本実施形態では、図６、図８に示すように、封止層４２と電気泳動層３３との接触面（第１封止層４２ａと第２封止層４２ｂとの接触面）のうち、隔壁３５と平面視で重なる部分は、隔壁３５と平面視で重ならない部分よりも断面視において第２基材４１（対向基板５２）側に位置しており、これにより、隔壁３５は、その頂部３５’が封止層４２に食い込んでいる。このように、頂部３５’を封止層４２に食い込ませることで、封止層４２と、絶縁層３２と、隔壁３５とにより区画された閉空間に充填された電気泳動分散液（分散液）が、隣接するセル３６同士の間で、行き来するのをより的確に抑制または防止することができる。
【００６９】
さらに、第１封止層４２ａと第２封止層４２ｂとの接触面のうち頂部３５’が食い込んでいない部分（隔壁３５と平面視で重ならない部分）と頂部３５’とを比較した際、図８に示すように頂部３５’の方が第２基材４１側に位置している。そして、隔壁３５の封止層４２への食い込み量ｔ２、すなわち第２封止層４２ｂの電気泳動層３３側の面のうち、頂部３５’が食い込んでいない部分と頂部３５’との間の距離は、例えば、１μｍ〜５μｍであることが好ましく、本実施形態では２μｍである。これにより、頂部３５’を封止層４２に食い込ませることにより得られる効果を、より顕著に発揮させることができる。
【００７０】
また、封止層４２の平均膜厚ｔ１は、例えば、２．６μｍ以上８μｍ以下程度であることが好ましい。本実施形態では、５μｍである。
【００７１】
このような封止層４２は、本実施形態では、図４でも説明したように、対向基板５２（共通電極２２）側から第１封止層４２ａと第２封止層４２ｂとが、この順に積層された積層体で構成されている。
【００７２】
この封止層４２（積層体）において、第１封止層４２ａは、第２封止層４２ｂよりも柔軟な材料で好ましくは構成され、これにより、隔壁３５の頂部３５’が、封止層４２に食い込み易くなっている。
【００７３】
このような第１封止層４２ａの構成材料としては、例えば、ＮＢＲ（アクリロニトリル・ブタジエンゴム）、ウレタンゴム、イソプレンゴム、ブタジエンゴム、クロロプレンゴム、スチレン・ブタジエンゴム、ヒドリンゴム、ニトリルゴム等のゴム系材料が挙げられ、これらのうちの１種または２種以上を組み合わせて用いることができる。中でも、ＮＢＲであることが好ましい。これにより、頂部３５’を封止層４２に食い込ませることができる。
【００７４】
また、第１封止層４２ａの室温における弾性率は、０．１ＭＰａ以上５０ＭＰａ以下であることが好ましく、本実施形態では、室温における弾性率が２０ＭＰａとなっている。第１封止層４２ａの弾性率をかかる範囲内に設定することにより、積層体、すなわち、封止層４２全体としての弾性率を適切な範囲に設定して、隔壁３５の頂部３５’が折れ曲がったり、第２封止層が破損することなく、隔壁３５の頂部３５’を封止層４２に確実に食い込ませる（隔壁３５の頂部３５’により封止層４２を変形させる）ことができる。
【００７５】
第１封止層４２ａの平均厚さは、２．５μｍ以上２０μｍ以下であることが好ましく、本実施形態では、４．５μｍとなっている。これにより、隔壁３５の頂部３５’を封止層４２に確実に食い込ませることができる程度の厚さを、封止層４２に確保することができる。
【００７６】
さらに、第１封止層４２ａの体積抵抗率は、１×１０7Ω・ｃｍ以上５×１０10Ω・ｃｍ以下であることが好ましい。これにより、画素電極２１と共通電極２２との間に封止層４２が介在することに起因して、電気泳動粒子３４の移動度が低下するのを的確に抑制または防止することができる。
【００７７】
また、第２封止層４２ｂは、電気泳動層３３すなわち分散液（電気泳動分散液）に接触する面（表面）を構成する、第１封止層４２ａの被覆層であり、この第２封止層（被覆層）４２ｂの水（純水）に対する接触角が６０°以上となっている。
【００７８】
ここで、前述の通り、電気泳動表示装置において、画素電極、共通電極および隔壁でセルを区画すると、これら画素電極および共通電極の電極に、直接、電気泳動分散液が接触するため、電気泳動粒子の移動による画像の形成の度に、前記電極のうち少なくとも一方に電気泳動粒子が接触し、これに起因して、前記電極に電気泳動粒子が吸着（固着）するため、電気泳動表示装置の画像書換えの際の応答遅延、反射率の低下、さらには色味の劣化等が生じること、すなわち、電気泳動表示装置の表示特性が著しく低下するという問題があった。
【００７９】
これに対して、本発明では、電気泳動層３３（電気泳動分散液）に接触する表面を第２封止層（被覆層）４２ｂが構成し、この第２封止層４２ｂの水に対する接触角が６０°以上となっており、第２封止層４２ｂは、低極性を示すものとなっている。そのため、電気泳動粒子３４の移動による画像の形成の度に、第２封止層４２ｂに電気泳動粒子３４が接触することとなるが、この第２封止層４２ｂが低極性を示すものであることから、第２封止層４２ｂと電気泳動粒子３４との間の引力（静電的引力、ファンデルワールス力）を低減させることができるため、第２封止層４２ｂに電気泳動粒子３４が吸着してしまうのを的確に抑制または防止することができる。したがって、電気泳動表示装置１０は、長期に亘って、優れた表示特性を維持するものとなる。
【００８０】
ただし、第２封止層４２ｂの水に対する接触角は、６０°以上となっていればよいが、７０°以上９５°以下であることが好ましく、８０°以上９０°以下であることがより好ましい。これにより、前記効果をより顕著に発揮させることができるとともに、第２封止層４２ｂの電気泳動粒子３４に対する反発力が不本意に高くなり過ぎ、電気泳動粒子３４を移動させて画像を形成する際に、共通電極２２側に電気泳動粒子３４が集まることができなくなるのを的確に抑制または防止することができる。
【００８１】
また、第２封止層４２ｂのヨウ化メチレンに対する接触角が５０°以下であることが好ましく、２０°以上４０°以下であることがより好ましい。これにより、第２封止層４２ｂをより確実に低極性を示すものであると言うことができ、第２封止層４２ｂに電気泳動粒子３４が吸着してしまうのを的確により抑制または防止することができる。
【００８２】
なお、本願明細書中において、第２封止層４２ｂの水に対する接触角およびヨウ化メチレンに対する接触角は、それぞれ、ＪＩＳ  Ｒ  ３２５７に準拠して測定された値のことを言う。
【００８３】
このような第２封止層４２ｂの構成材料としては、例えば、下記一般式（Ｉ）で表される水素化開環メタセシス重合型シクロオレフィンポリマー、下記一般式（II）で表される付加共重合型シクロオレフィンポリマーのようなシクロオレフィンポリマー（ＣＯＰ）、下記一般式（III）で表されるメチルペンテンコポリマー（ＴＰＸ）、下記一般式（IV）で表されるブチラール基を含むポリビニルブチラール（ＰＶＢ）のようなポリビニルアセタール、ポリビニルアルコール（ＰＶＡ）の他、ポリメタクリル酸メチル（ＰＭＭＡ）、ポリカーボネート（ＰＣ）、ポリエチレンテレフタレート（ＰＥＴ）のような非極性ポリマー等が挙げられ、これらのうちの１種または２種以上を組み合わせて用いることができる。中でも、シクロオレフィンポリマー、エチレン−ビニルアルコール共重合体およびメチルテルペンコポリマーのうちの少なくとも１種であることが好ましい。これらの材料は、特に極性が低い材料であるため、第２封止層４２ｂに電気泳動粒子３４が固着することをより確実に防止することができる。また、これらの材料（特に、ＣＯＰ）は、分散媒１５に溶出するおそれが少ないことから、第２封止層４２ｂに、第１封止層４２ａが分散媒１５に溶出しないようにするための封止層として機能をも付与することができる。
【００８４】
【化１】
2017049552.tif 000003
［式（Ｉ）、（II）中、Ｒ１およびＲ２は、それぞれ独立して、水素原子または炭素数１〜１０のアルキル基を表し、ｎおよびｍは、それぞれ独立して、１以上の整数を表す。］
【００８５】
【化２】
2017049552.tif 000004
［式（III）、（IV）中、ｎは、それぞれ独立して、１以上の整数を表す。］
【００８６】
なお、第２封止層４２ｂには、第２封止層４２ｂの材料を柔らかくする（第２封止層４２ｂの弾性率を低下させる）ための添加剤が含まれていてもよい。この添加剤としては、例えば、ポリエチレングリコール、グリセリン、尿素、ポリエチレンオキサイド、ポリプロピレングリコールから選択される１種または２種以上を混合したものを用いてもよいが、中でも、グリセリンであることが好ましい。これにより、第２封止層４２ｂの弾性率を確実に低下させることができる。
【００８７】
また、第２封止層４２ｂの厚みは、０．０５μｍ以上０．５μｍ以下であることが好ましく、０．１μｍ以上０．３μｍ以下であることがより好ましい。また、本実施形態では、０．２５μｍとなっている。これにより、第２封止層４２ｂに被覆層としての機能を確実に付与することができる。また、封止層４２（積層体）全体として、比較的柔軟なものとすることができるため、隔壁３５の頂部３５’を、封止層４２に確実に食い込ませることが可能となる。
【００８８】
さらに、第２封止層４２ｂの室温における引張破断伸び（ＪＩＳ  Ｋ７１１３に規定）は、４０％以上であることが好ましく、６０％以上４００％以下であることがより好ましく、本実施形態では、室温における引張破断伸びが８０％となっている。これにより、隔壁の頂部３５’が第２封止層４２ｂに食い込む際に伸びることで、その応力を緩和するため、隔壁３５の頂部３５’が折れ曲がったり、第２封止層４２ｂが破損するのを的確に抑制または防止することができる。
【００８９】
なお、第２封止層４２ｂは、前述した非極性ポリマーを主材料として構成されるものの他、例えば、シランカップリング剤で構成される単分子膜等であってもよい。
【００９０】
また、このシランカップリング剤としては、第２封止層４２ｂの水に対する接触角を６０°以上とし得るものであれば特に限定されず、例えば、アルキル基含有シランカップリング剤およびフルオロアルキル基含有シランカップリング剤等が挙げられるが、中でも、フルオロアルキル基含有シランカップリング剤であることが好ましい。これにより、第２封止層４２ｂの水に対する接触角を容易に６０°以上とすることができる。
【００９１】
フルオロアルキル基含有シランカップリング剤としては、例えば、一般式  Ｆ３Ｃ−（ＣＦ２）ｎ−（ＣＨ２）ｍ−Ｓｉ（Ｏ−Ｒ）３（式中、ｎは１〜１１の整数、ｍは０〜４の整数、Ｒは炭素数１〜３のアルキル基を表す。）で表され、具体的には、３，３，３−トリフルオロプロピルトリメトキシシラン、３，３，３−トリフルオロプロピルトリアセトキシシラン、ジメチル−３，３，３−トリフルオロプロピルメトキシシラン、トリデカフルオロ−１，１，２，２−テトラヒドロオクチルトリエトキシシラン等が挙げられる。
【００９２】
また、封止層４２は、第１封止層４２ａと、第２封止層４２ｂとの積層体として設ける場合の他、第２封止層４２ｂの構成材料によっては、第１封止層４２ａを省略して、第２封止層４２ｂの単層で構成されるものであってもよいし、さらには、第２封止層４２ｂが表面（最表面）を構成していれば３層以上の積層体で構成されていてもよい。
【００９３】
さらに、図６および図７に示すように、封止層４２の端部は、例えば、表示領域Ｅの最外周の隔壁３５ａと額縁隔壁６１との間、つまり、ダミー画素領域Ｄの範囲に配置されている。封止層４２は、表示領域Ｅより一回り大きく、大きさにばらつきが生じたとしても、表示領域Ｅに端部が入り込まないような大きさになっている。
【００９４】
また、封止層４２を形成する材料として接着剤を用いた場合、接着層に含まれる接着剤（例えば、完全に硬化しない反応性モノマー等の不純物）が分散液の中に溶出することにより、この接着剤が電気泳動分散液に含まれる電気泳動粒子３４に付着して、電気泳動粒子３４の泳動性に影響を与えるおそれがある。しかしながら、本実施形態においては、封止層４２を、第１封止層４２ａと第２封止層４２ｂとを有するものとし、電気泳動粒子３４と接触する部分に第２封止層４２ｂを配置している。そのため、このような不具合も軽減することができる。
【００９５】
さらに、図４に示すように、素子基板５１と電気泳動層３３との間には、絶縁層３２が設けられている。
【００９６】
これにより、素子基板５１が備える画素電極２１同士の絶縁性が確保されるため、電気泳動粒子３４を移動させることによる画像の形成をより優れた精度で行うことが可能となる。
【００９７】
このような絶縁層３２は、本実施形態では、前述したように、第１基材３１（画素電極２１）側から第１絶縁層３２ａと第２絶縁層３２ｂとが、この順に積層された積層体で構成されている。
【００９８】
この絶縁層３２（積層体）において、第１絶縁層３２ａは、複数の画素電極２１同士の間に介在し、これにより、画素電極２１同士の絶縁性を確保している。
【００９９】
このような第１絶縁層３２ａの構成材料としては、絶縁性を備えるものであれば、特に限定されないが、例えば、絶縁性樹脂材料が好ましく用いられる。
【０１００】
また、この絶縁性樹脂材料としては、例えば、ポリエチレンテレフタレート、α−オレフィン、酢酸ビニル、ポリビニルアセタール、エチレン酢酸ビニル、アクリル、ポリアミド、塩化ビニル等が挙げられ、これらのうちの１種または２種以上を組み合わせて用いることができる。
【０１０１】
第１絶縁層３２ａの平均厚さは、０．０５μｍ以上２０μｍ以下であることが好ましく、本実施形態では、２．５μｍとなっている。これにより、複数の画素電極２１同士の間に絶縁層３２を介在させることができる程度の厚さを、絶縁層３２に確保することができる。
【０１０２】
さらに、第１絶縁層３２ａの体積抵抗率は、１×１０7Ω・ｃｍ以上１×１０1１Ω・ｃｍ以下であることが好ましい。これにより、画素電極２１と共通電極２２との間に絶縁層３２が介在することに起因して、電気泳動粒子３４の移動度が低下するのを的確に抑制または防止することができる。
【０１０３】
また、第２絶縁層３２ｂは、電気泳動層３３に接触する表面を構成する、第１絶縁層３２ａの被覆層であり、この第２絶縁層（被覆層）３２ｂの水に対する接触角が６０°以上となっている。
【０１０４】
すなわち、第１絶縁層３２ａを被覆する第２絶縁層３２ｂも、第１封止層４２ａを被覆する第２封止層４２ｂと同一の構成をなしている。
【０１０５】
そのため、電気泳動粒子３４の移動による画像の形成の度に、第２絶縁層３２ｂにも電気泳動粒子３４が接触することとなるが、この第２絶縁層３２ｂの水に対する接触角が６０°以上であり、低極性を示すものであることから、第２絶縁層３２ｂに電気泳動粒子３４が吸着してしまうのを的確に抑制または防止することができる。したがって、第１絶縁層３２ａを被覆する第２絶縁層３２ｂを形成することによっても、電気泳動表示装置１０は、長期に亘って、優れた表示特性を維持するものとなる。
【０１０６】
なお、本実施形態では、封止層４２および絶縁層３２が、それぞれ、その表面に第２封止層４２ｂおよび第２絶縁層３２ｂを備える場合、すなわち、封止層４２および絶縁層３２の双方が、その表面に水に対する接触角が６０°以上の被覆層を備える場合について説明したが、かかる場合に限定されず、例えば、封止層４２および絶縁層３２のうちの一方を省略することもできる。
【０１０７】
ただし、対向基板５２（共通電極２２）側が電気泳動粒子３４の移動により形成される画像を、使用者が認識する表示面を構成する。そのため、電気泳動表示装置１０の表示特性をより優れたものとするには、共通電極２２（封止層４２）側における電気泳動粒子３４の吸着を防止することが好ましいことから、封止層４２が第２封止層４２ｂを備えるものが好ましい構成であると言える。すなわち、封止層４２および絶縁層３２が、それぞれ、第２封止層４２ｂおよび第２絶縁層３２ｂを備える場合、または、絶縁層３２が第２絶縁層３２ｂを備えず、封止層４２が第２封止層４２ｂを備える場合が好ましい構成であると言える。
【０１０８】
以下、この第１実施形態の電気泳動表示装置１０を製造するための製造方法を説明する。
【０１０９】
＜電気泳動表示装置の製造方法＞
次に、上述した電気泳動表示装置１０を製造するための製造方法について説明する。
【０１１０】
図９は、電気泳動表示装置の製造方法を工程順に示すフローチャートである。図１０〜図１７は、図３に示す電気泳動表示装置の製造方法を説明するための模式断面図である。  以下、電気泳動表示装置の製造方法を、図９〜図１７を参照しながら説明する。
【０１１１】
［１］まず、図９を参照しながら、素子基板５１の製造方法を説明する。
［１−１］まず、ガラス等の透光性材料からなる第１基材３１上に、ＴＦＴ１６や、ＩＴＯ等の光透過性材料からなる画素電極２１等を形成する（ステップＳ１１）。
【０１１２】
具体的には、周知の成膜技術、フォトリソグラフィ技術およびエッチング技術を用いて、第１基材３１上にＴＦＴ１６および画素電極２１等を形成する。なお、以降の断面図を用いた説明においては、ＴＦＴ１６や画素電極２１等の説明および図示を省略する。
【０１１３】
［１−２］次いで、第１基材３１上に、絶縁層３２（第１絶縁層３２ａおよび第２絶縁層３２ｂ）を形成する（ステップＳ１２）。
【０１１４】
絶縁層３２（第１絶縁層３２ａおよび第２絶縁層３２ｂ）の形成方法としては、特に限定されず、例えば、第１基材３１上に、絶縁性樹脂材料を、スピンコート法等の塗布法を用いて成膜することで第１絶縁層３２ａを形成し、その後、非極性ポリマーを同様に塗布法を用いて成膜することで第２絶縁層３２ｂを形成する。
【０１１５】
［１−３］次いで、図１０に示すように、第１基材３１（具体的には、絶縁層３２）上に隔壁３５を形成する（ステップＳ１３）。
【０１１６】
より具体的には、表示領域Ｅの隔壁３５と、表示領域Ｅの最外周の隔壁３５ａと、その外側に設ける額縁隔壁６１と、を同時に形成する。
【０１１７】
隔壁３５，３５ａ、額縁隔壁６１は、例えば、周知の成膜技術、フォトリソグラフィ技術およびエッチング技術を用いて形成することができる。
【０１１８】
このように、隔壁３５，３５ａ、額縁隔壁６１を、同じ材料で同時に形成することにより、効率よく製造することができる。
以上により、素子基板５１が完成する。
【０１１９】
なお、隔壁３５は、分散媒１５に溶解しない材質からなり、その材質は有機物か無機物かは問われない。具体的に、有機物材料の例としては、ウレタン樹脂、ウレア樹脂、アクリル樹脂、ポリエステル樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂、ポリイミド樹脂等を挙げられる。これらの樹脂単体または２種類以上の複合剤を使用する。
【０１２０】
［２］次に、対向基板５２の製造方法を説明する。
［２−１］まず、第２基材４１上に共通電極２２を形成する（ステップＳ２１）。
【０１２１】
具体的には、ガラス基板等の透光性材料からなる第２基材４１上の全面に、周知の成膜技術を用いて共通電極２２を形成する。
【０１２２】
［２−２］次いで、共通電極２２上に封止層４２（第１封止層４２ａおよび第２封止層４２ｂ）を形成する（ステップＳ２２、ステップＳ２３）。
【０１２３】
第１封止層４２ａおよび第２封止層４２ｂの形成方法としては、図１１に示すように、例えば、対向基板５２上にゴム系材料をスピンコート等の塗布法を用い成膜することで第１封止層４２ａを形成し、その後、非極性ポリマーを同様に塗布法を用いて成膜することで第２封止層４２ｂを形成する。
【０１２４】
さらに、エッチング法を用いて、形成すべき第１封止層４２ａおよび第２封止層４２ｂの形状に対応して、パターニングすることで、第１封止層４２ａおよび第２封止層４２ｂを得る。なお、塗布法に限定されず、印刷法を用いて形成するようにしてもよい。
以上により、対向基板５２が完成する。
【０１２５】
［３］次に、図９〜図１１を参照しながら、素子基板５１と対向基板５２とを貼り合わせる方法を説明する。
【０１２６】
［３−１］まず、図１２に示すように、大気中において、額縁隔壁６１の外周に第１シール材１４ａを塗布する（ステップＳ３１）。
【０１２７】
第１シール材１４ａの材料は、例えば、比較的粘度の高い液性エポキシ樹脂であるカヤトロンである。第１シール材１４ａの粘度は、例えば、３０万Ｐａ・ｓ以上１００万Ｐａ・ｓ以下であり、好ましくは４０万Ｐａ・ｓである。塗布したときの第１シール材１４ａの幅は、真空に耐えられる程度の幅であり、例えば、４００μｍである。
【０１２８】
［３−２］次いで、図１３に示すように、素子基板５１上の表示領域Ｅに電気泳動粒子３４（白色粒子、黒色粒子）と、シリコーンオイルからなる分散媒１５とを含有する電気泳動分散液を塗布する（ステップＳ３２）。
【０１２９】
塗布方法としては、例えば、ディスペンサーを用いる。また、ダイコーター等も適用することができる。なお、シリコーンオイルの粘度は、例えば、１０ｃＰ以下である。分散媒１５の量としては、素子基板５１と対向基板５２とを貼り合せたときに、額縁隔壁６１で囲まれた中を満たすような液量である。本実施形態において額縁隔壁６１の高さは、例えば、３３μｍである。
【０１３０】
なお、額縁隔壁６１が形成されていることにより、第１シール材１４ａが表示領域Ｅ側に入り込む（広がる）ことを防ぐことができる。また、第１シール材１４ａの幅が所定の幅より広がらないように規制することができる。これにより、第１シール材１４ａの強度を十分に確保することができる。
【０１３１】
［３−３］次いで、図１４に示すように、素子基板５１と対向基板５２との貼り合わせを開始する（ステップＳ３３）。
【０１３２】
なお、セル３６内に気泡が混入することを防ぐため、この貼り合わせは、真空負圧環境下で押圧する。しかしながら、シリコーンオイルは揮発性が高いので、大気圧より低い低真空の状態にする。この圧力は、具体的には、例えば、５００Ｐａである。
【０１３３】
［３−４］次いで、図１５に示すように、素子基板５１と対向基板５２との間に分散媒１５（電気泳動分散液）を封止する（第１封止；ステップＳ３４）。
【０１３４】
すなわち、低真空の状態において、第１シール材１４ａを介して、素子基板５１と対向基板５２とを貼り合わせる。
【０１３５】
このとき、封止層４２に隔壁３５の頂部３５’が食い込むまで、換言すれば第１封止層４２ａと第２封止層４２ｂとの接触面のうち、隔壁３５と平面視で重なる部分と、隔壁３５と平面視で重ならない部分とを断面視で比較した際に、隔壁３５と平面視で重なる部分がそうでない部分よりも第２基材４１側に位置するまで、素子基板５１に対向基板５２を押圧していく。
【０１３６】
このとき、額縁隔壁６１が素子基板５１と対向基板５２との間のセルギャップを規定するスペーサーとしても機能する。
【０１３７】
素子基板５１に対向基板５２を押圧していくと、第１シール材１４ａが潰されると共に、分散媒１５が額縁隔壁６１および第１シール材１４ａ側に押され充填される。このとき、表示領域Ｅに設けられた隔壁３５の頂部３５’は、対向基板５２側に設けられた封止層４２に食い込むことにより、隣接するセル３６間で分散媒１５が移動することを防ぐことができる。
【０１３８】
その後、図１６に示すように、第１シール材１４ａが紫外線硬化型樹脂であれば紫外線を照射して、第１シール材１４ａを硬化させる。また、熱硬化型樹脂であれば、加熱することにより硬化させる。
【０１３９】
素子基板５１と対向基板５２とを貼り合せたときのセルギャップは、２０μｍ以上５０μｍ以下程度であり、本実施形態では３３μｍである。また、潰された第１シール材１４ａの幅は、例えば、２００μｍ以上５００μｍ以下であり、本実施形態では４００μｍである。
【０１４０】
［３−５］次いで、図１７に示すように、大気中において、第１シール材１４ａの外周に第２シール材１４ｂを形成して接着する（第２封止；ステップＳ３５）。
【０１４１】
具体的には、第２シール材１４ｂは、水分が入らず比較的低い粘度であり、隙間に入り込むことが重要であり、例えば、アクリルやエポキシ樹脂等である。なお、第２シール材１４ｂの粘度は、第１シール材１４ａの粘度よりも低く、例えば、１００Ｐａ・ｓ以上５００Ｐａ・ｓ以下であり、好ましくは、４００Ｐａ・ｓである。第２シール材１４ｂの幅は、例えば、４００μｍである。
【０１４２】
第２シール材１４ｂを塗布する方法としては、例えば、ディスペンサーやダイコーター等が用いられる。以上により、図１７に示すように、素子基板５１と対向基板５２とによって挟持された空間が封止される。その後、必要に応じて、製品の形状に切断する。
以上のような工程を経ることで、電気泳動表示装置１０が得られる。
【０１４３】
＜＜第２実施形態＞＞
次に、電気泳動表示装置１０（本発明の電気泳動表示装置）の第２実施形態について説明する。
【０１４４】
図１８は、本発明の電気泳動表示装置の構造の第２実施形態を示す模式縦断面図である。
【０１４５】
以下、第２実施形態の電気泳動表示装置１０について、前記第１実施形態の電気泳動表示装置１０との相違点を中心に説明し、同様の事項については、その説明を省略する。
【０１４６】
本実施形態の電気泳動表示装置１０では、図１８に示すように、電気泳動層３３を区画する隔壁３５の構成が異なること以外は、図４に示す前記第１実施形態の電気泳動表示装置１０と同様である。
【０１４７】
すなわち、第２実施形態の電気泳動表示装置１０において、隔壁３５は、第１隔壁３５Ａと、この第１隔壁３５Ａの表面を被覆する第２隔壁３５Ｂとを有する。
【０１４８】
かかる構成の本実施形態の隔壁３５において、第１隔壁３５Ａは、第１実施形態の電気泳動表示装置１０が備える隔壁３５と同一の構成をなしている。
【０１４９】
また、第２隔壁３５Ｂは、電気泳動層３３に接触する表面を構成する、第１隔壁３５Ａの被覆層であり、この第２隔壁（被覆層）３５Ｂの水に対する接触角が６０°以上となっている。したがって、第１隔壁３５Ａを被覆する第２隔壁３５Ｂも、第１封止層４２ａを被覆する第２封止層４２ｂおよび第１絶縁層３２ａを被覆する第２絶縁層３２ｂと同一の構成をなしている。
【０１５０】
そのため、電気泳動粒子３４の移動による画像の形成の度に、第２隔壁３５Ｂの側面に接触しながら電気泳動粒子３４が移動することとなるが、この第２隔壁３５Ｂの水に対する接触角が６０°以上であり、低極性を示すものであることから、第２隔壁３５Ｂに電気泳動粒子３４が吸着してしまうのを的確に抑制または防止することができる。したがって、第１隔壁３５Ａを被覆する第２隔壁３５Ｂを形成することによっても、電気泳動表示装置１０は、長期に亘って、優れた表示特性を維持するものとなる。
【０１５１】
このような第１隔壁３５Ａを被覆する第２隔壁３５Ｂを備える隔壁３５を有する第２実施形態の電気泳動表示装置１０によっても、前記第１実施形態と同様の効果が得られる。
【０１５２】
以上、本発明の電気泳動表示装置および電子機器を、図示の実施形態に基づいて説明したが、本発明は、これに限定されるものではなく、各部の構成は、同様の機能を有する任意の構成のものに置換することができる。また、本発明に他の任意の構成物が付加されていてもよい。また、前述した各実施形態を適宜組み合わせてもよい。
【０１５３】
また、前述した実施形態では、隔壁３５が格子状をなしていたが、隔壁３５の構成（平面視形状）としては、特に限定されない。例えば、ハニカム状、多角形状、丸形状、三角形状等に構成されていてもよい。
【０１５４】
また、素子基板５１側に隔壁３５や額縁隔壁６１を配置することに限定されず、対向基板５２側に隔壁３５や額縁隔壁６１を配置するようにしてもよい。
【０１５５】
さらに、隔壁３５を、フォトリソグラフィ法を用いて形成することに限定されず、例えば、ナノインプリント法やスクリーン印刷法、凸版印刷法、グラビア印刷法等の印刷プロセスで形成するようにしてもよい。
【０１５６】
また、第１基材３１および第２基材４１は、表示側に光透過性を有する材料を用いればよく、ガラス基板の他、プラスチック基板を用いるようにしてもよい。
【０１５７】
さらに、額縁隔壁６１をスペーサーとして利用することに限定されない。素子基板５１と対向基板５２との間のセルギャップを規定するために、例えば別の部材をスペーサーとして設ける場合は、額縁隔壁６１の高さは隔壁３５の高さと等しくてもよい。
【実施例】
【０１５８】
次に、本発明の具体的実施例について説明する。
１．評価用サンプルの製造
（サンプルＮｏ．１）
＜１＞まず、平均厚さ０．５ｍｍのガラス基板を、第１基材３１として用意した。次に、この第１基材３１上に、ウレタン樹脂で構成される樹脂層（３１μｍ）を形成した後、この樹脂層をエッチングすることにより、幅５μｍ・高さ３１μｍの隔壁３５を形成した。
【０１５９】
＜２＞次いで、平均厚さ０．５ｍｍのガラス基板を、第２基材４１として用意した。次に、この第２基材４１上に、第１封止層４２ａおよび第２封止層４２ｂを成膜することで封止層４２を形成した。
【０１６０】
なお、第１封止層４２ａおよび第２封止層４２ｂの成膜は、第２基材４１上にＮＢＲをスピンコート法で成膜し、その後、前記一般式（Ｉ）で表されるＣＯＰ（日本ゼオン社製、「４８０Ｒ」）をスピンコート法で成膜することにより行った。なお、この際に得られた、第１封止層４２ａおよび第２封止層４２ｂの膜厚は、それぞれ、１μｍおよび０．３μｍであった。また、第２封止層４２ｂ（被覆層）の水に対する接触角およびヨウ化メチレンに対する接触角を、固液界面解析システム（協和界面科学社製、「DＭ−７００」）を用いて測定したところ、それぞれ、１００°および４７°であった。
【０１６１】
＜３＞次いで、第１基材３１上の隔壁３５の外周に、液性エポキシ樹脂であるカヤトロンを第１シール材１４ａとして塗布した。その後、第１基材３１と隔壁３５とで形成された凹部内に黒粒子および白粒子を含む電気泳動粒子３４と、分散媒１５（シリコーンオイル）とを含有する電気泳動分散液を塗布することで充填した。
【０１６２】
＜４＞次いで、前記工程＜３＞において、凹部内に電気泳動分散液が充填された第１基材３１に対して、前記工程＜２＞において、封止層４２が形成された第２基材４１を貼り合わせた。なお、この貼り合わせは、５００Ｐａの真空負圧環境下で、封止層４２に隔壁３５の頂部３５’が食い込むまで、素子基板５１に対向基板５２を押圧した後に、第１シール材１４ａに紫外線を照射して硬化させることにより行った。なお、封止層４２に隔壁３５の頂部３５’が食い込むことで形成された電気泳動層３３の膜厚は、３０μｍであった。
以上のような工程を経ることで、サンプルＮｏ．１の評価用サンプルを製造した。
【０１６３】
（サンプルＮｏ．２）
第２封止層４２ｂを、ＣＯＰに代えて、ＰＶＢ（積水化学社製、「ＫＳ−１０」）を用いて形成したこと以外は、前記サンプルＮｏ．１と同様にしてサンプルＮｏ．２の評価用サンプルを製造した。なお、サンプルＮｏ．２の評価用サンプルにおける、第２封止層４２ｂ（被覆層）の水に対する接触角およびヨウ化メチレンに対する接触角は、それぞれ、６０°および３８°であった。
【０１６４】
（サンプルＮｏ．３）
第２封止層４２ｂを、ＣＯＰに代えて、ＰＶＡ（クラレ社製、「クラレポバール  ＰＶＡ−２１７」）を用いて形成したこと以外は、前記サンプルＮｏ．１と同様にしてサンプルＮｏ．３の評価用サンプルを製造した。なお、サンプルＮｏ．３の評価用サンプルにおける、第２封止層４２ｂ（被覆層）の水に対する接触角およびヨウ化メチレンに対する接触角は、それぞれ、５４°および４２°であった。
【０１６５】
２．評価（反射率の経時的変化）
各サンプルＮｏ．の評価用サンプルについて、それぞれ、白色表示した際の反射率（初期反射率）を測定し、その後、５００時間の連続駆動を行った後に、再度、白色表示した際の反射率（駆動後反射率）を測定し、初期反射率を１００％とした時の駆動後反射率の経時変化率（％）を求めた。
これらの測定結果を表１に示す。
【０１６６】
【表１】
2017049552.tif 000005
【０１６７】
表１から明らかなように、第２封止層４２ｂ（被覆層）の水に対する接触角を６０°以上に設定することで、駆動後反射率の経時的変化率（％）を−２０％以下とすることができ、第２封止層４２ｂに対する電気泳動粒子３４の吸着を的確に抑制できていることが明らかとなった。
【０１６８】
なお、第２封止層４２ｂの水に対する接触角を１００°とした場合には、反射率の経時的変化率（％）が−５％となり、第２封止層４２ｂに対する電気泳動粒子３４の吸着をより的確に抑制できるものの、第２封止層４２ｂに対する電気泳動粒子３４の反発力が高くなりすぎ、電気泳動粒子３４の粒径等によっては、電圧印加後における画像の保持率が低下するおそれがある。そのため、第２封止層４２ｂの水に対する接触角は、７０°以上９５°以下であることが好ましく、８０°以上９０°以下であることがより好ましいと推察される。
【符号の説明】
【０１６９】
１０…電気泳動表示装置、１１…画素、１２…データ線、１３…走査線、１４…シール部、１４ａ…第１シール材、１４ｂ…第２シール材、１５…分散媒、１６…トランジスター、２１…画素電極、２２…共通電極、３１…第１基材、３２…絶縁層、３２ａ…第１絶縁層、３２ｂ…第２絶縁層、３３…電気泳動層、３４…電気泳動粒子、３５、３５ａ…隔壁、３５'…頂部、３５Ａ…第１隔壁、３５Ｂ…第２隔壁、３６…セル、４１…第２基材、４２…封止層、４２ａ…第１封止層、４２ｂ…第２封止層、５１…素子基板、５２…対向基板、６１…額縁隔壁、１００…電子機器、１１０…操作部、Ｄ…ダミー画素領域、Ｅ…表示領域、Ｅ１…額縁領域
【図１】
2017049552.tif 000006
【図２】
2017049552.tif 000007
【図３】
2017049552.tif 000008
【図４】
2017049552.tif 000009
【図５】
2017049552.tif 000010
【図６】
2017049552.tif 000011
【図７】
2017049552.tif 000012
【図８】
2017049552.tif 000013
【図９】
2017049552.tif 000014
【図１０】
2017049552.tif 000015
【図１１】
2017049552.tif 000016
【図１２】
2017049552.tif 000017
【図１３】
2017049552.tif 000018
【図１４】
2017049552.tif 000019
【図１５】
2017049552.tif 000020
【図１６】
2017049552.tif 000021
【図１７】
2017049552.tif 000022
【図１８】
2017049552.tif 000023